(57)【要約】【課題】  ネジ軸に強固に取付けながらも能率良く容易に脱着することができ、しかも、ネジ軸に対する仮保持機能も有する長尺体支持具を提供する。【解決手段】  長尺体Ｐを架設するための受止め部１を備えた取付け基部２の背面上半側の上下二箇所には、固定された上下姿勢のネジ軸３に対して左右方向の一側方から係脱自在な第１係合部４と、ネジ軸３に対して左右方向の他側方から係脱自在な第２係合部５とが、ネジ軸３の外径よりも大なる間隔を置いて形成されているとともに、取付け基部２の背面の下半側には、ネジ軸３に対して前後方向から脱着自在に弾性挾持保持可能な略半筒状の挾持部６が形成され、この挾持部６の内周面には、ネジ軸３の雄ネジ部に係合する係止部７が形成されている。【選択図】        図１
2005180684.tif 000002
【特許請求の範囲】
【請求項１】
長尺体を架設するための受止め部を備えた取付け基部の背面上半側には、固定された上下姿勢のネジ軸に対して左右方向の一側方から係脱自在な第１係合部と、ネジ軸に対して左右方向の他側方から係脱自在な第２係合部とが、ネジ軸の外径よりも大なる間隔を置いて形成されているとともに、前記取付け基部の背面の下半側には、ネジ軸に弾性力で挾持保持可能な筒状で、かつ、その周方向の一箇所にネジ軸に対する前後方向からの脱着を許容する開口が形成されている挾持部が形成され、この挾持部の内周面には、ネジ軸のネジ部に対して径方向から係脱自在な係止部が形成されている長尺体支持具。
【請求項２】
前記第１係合部には、これがネジ軸に所定姿勢で係合されたとき、ネジ軸のネジ部に対して径方向から係合する第２係止部が形成されている請求項１記載の長尺体支持具。
【請求項３】
前記受止め部、取付け基部、第１係合部、第２係合部、挾持部が合成樹脂で一体成形されている請求項１又は２記載の長尺体支持具。
【請求項４】
前記第１係合部が、それの先端部分を取付け基部に向かって延出した平面視略しの字状に形成されている請求項１、２又は３記載の長尺体支持具。
【請求項５】
前記受止め部が、取付け基部の下端側に連設された略Ｕ字状の掛止板部から構成されているとともに、Ｕ字状掛止板部に掛け止められた長尺体の抜け落ちを防止するための抜け落ち防止手段が設けられている請求項１〜４のいずれか１項に記載の長尺体支持具。
【請求項６】
前記受止め部が、取付け基部の表面側の上下複数箇所に連設された掛止板部から構成されているとともに、各掛止板部に掛け止められた長尺体の抜け落ちを防止するための抜け落ち防止手段が設けられている請求項１〜４のいずれか１項に記載の長尺体支持具。
【請求項７】
前記抜け落ち防止手段が、長尺体を掛止板部に緊縛可能な紐状体とそれを係止保持する係止部から構成されている請求項５又は６記載の長尺体支持具。
【請求項８】
前記抜け落ち防止手段が、掛止板部の先端側における上下の隣接間隔を長尺体の外径よりも小に形成することにより構成されている請求項６記載の長尺体支持具。
【請求項９】
前記抜け落ち防止手段が、各掛止板部の先端側に突出形成された脱落防止用突起から構成されている請求項６又は８記載の長尺体支持具。
【発明の詳細な説明】
【技術分野】
【０００１】
本発明は、躯体等に固定された吊りボルトなどの上下姿勢のネジ軸に、空調配管やケーブル等の長尺物を架設する場合に用いられる長尺体支持具に関する。
【背景技術】
【０００２】
従来の長尺体支持具では、図２０に示すように、長尺体を架設するための受止め部５０を備えた取付け基部５１の背面の上下二箇所に、躯体等に固定された上下姿勢のネジ軸の一例である吊りボルト３に対して前後方向の後方側から脱着自在に弾性力で挾持保持可能な略半筒状の第１挾持部５２と、吊りボルト３に対して前後方向の前方側から脱着自在に弾性力で挾持保持可能な略半筒状の第２挾持部５３とが一体形成されているとともに、両半筒状挾持部５２，５３の隣接間には、それらの筒軸芯に対して略４５度の角度で吊りボルト３が入り込み自在な脱着用溝５４が形成され、更に、各半筒状挾持部５２，５３の内周面には、吊りボルト３の雄ネジ部に係合する一つの係止突起５２ａ，５３ａが形成されている（例えば、特許文献１参照）。
【０００３】
【特許文献１】特開平８−１２１６５６号公報
【特許文献２】特開平８−１５９３３８号公報
【発明の開示】
【発明が解決しようとする課題】
【０００４】
従来の長尺体支持具では、図１９に示すように、吊りボルト３に対して取付け基部５１を４５度の角度で傾け、取付け基部５１の脱着用溝５４を吊りボルト３に当て付け状態で時計方向に回動操作すると、両半筒状挾持部５２，５３の開口が拡径側に弾性変形されながら吊りボルト３に外嵌挾持されると同時に、各半筒状挾持部５２，５３の内周面に形成された係止突起５２ａ，５３ａが吊りボルト３の雄ネジ部に係合するから、例えば、特許文献２に示すように、揺動開閉自在に連設された一対の半割り筒状の挾持部の一方を、長尺体を架設するための受止め部を備えた取付け基部に兼用構成するとともに、吊りボルト３に外装された両半割り筒状挾持部を緊縛するバンド及びこれを挿通状態で任意の位置に係止保持可能な筒状係止部を設けてある長尺体支持具に比して、吊りボルト３に強固に取付けながらも操作性を高めることができ、特に、高所での長尺体支持具の取付け作業を能率良く容易に行うことができる。
【０００５】
しかしながら、従来の長尺体支持具では、吊りボルト３に対して４５度の傾斜角度で形成されている脱着用溝５４が左右方向の一側方に大きく開口し、かつ、両半筒状挾持部５２，５３が互いに反対側に開口しているため、両半筒状挾持部５２，５３が挾持保持される前の状態で吊りボルト３に一時的に仮保持させる場合、吊りボルト３に対する支持具の傾斜角度が小さく、両半筒状挾持部５２，５３の開口側外端縁が吊りボルト３の雄ネジ部に引っ掛かり難く、しかも、振動等の外力が作用したときに脱着用溝５４の開口を通して簡単に外れ易い。
【０００６】
それ故に、両半筒状挾持部５２，５３が吊りボルト３に挾持保持されるまでは、長尺体支持具を片手で把持し続ける必要があり、この面での操作性を改善する余地がある。
【０００７】
本発明は、上述の実状に鑑みて為されたものであって、その主たる課題は、ネジ軸に強固に取付けながらも能率良く容易に脱着することができ、しかも、ネジ軸に対する仮保持機能も有する長尺体支持具を提供する点にある。
【課題を解決するための手段】
【０００８】
本発明の長尺体支持具による第１の特徴構成は、長尺体を架設するための受止め部を備えた取付け基部の背面上半側には、固定された上下姿勢のネジ軸に対して左右方向の一側方から係脱自在な第１係合部と、ネジ軸に対して左右方向の他側方から係脱自在な第２係合部とが、ネジ軸の外径よりも大なる間隔を置いて形成されているとともに、取付け基部の背面の下半側には、ネジ軸に弾性力で挾持保持可能な筒状で、かつ、その周方向の一箇所にネジ軸に対する前後方向からの脱着を許容する開口が形成されている挾持部が形成され、この挾持部の内周面には、ネジ軸のネジ部に対して径方向から係脱自在な係止部が形成されている点にある。
【０００９】
上記特徴構成によれば、長尺体支持具をネジ軸に取付ける場合、図９に示すように、取付け基部の背面の上半側に形成された第１係合部及び第２係合部の各上下側面がネジ軸に沿うように支持具全体を横向き姿勢にして、両係合部の間にネジ軸を入り込み位置させ、この状態で支持具全体を回動させると、両係合部がネジ軸に係合される。
【００１０】
次に、図１０に示すように、ネジ軸と当接する一方の係合部を支点として取付け基部の背面の下半側に形成された挾持部をネジ軸に押し込むと、挾持部の開口が拡径側に弾性変形されながらネジ軸に外嵌挾持されると同時に、挾持部の内周面に形成された係止部がネジ軸のネジ部に対して径方向から係合するから、ネジ軸に対して支持具を強固に取付けながらも回転・押込みといった簡便な操作で取付けることができる。
【００１１】
しかも、図１０に示すように、両係合部の一方がネジ軸に当接し、かつ、挾持部の開口に臨む上端縁がネジ軸に当接した仮止め状態では、両係合部によって左右方向の移動が規制され、かつ、ネジ軸に対する傾斜角度が大きくなるため、ネジ軸に対して挾持部の開口に臨む上端縁が引っ掛かり易くなり、振動等の外力が作用しても、支持具を仮止め位置に保持し易い。
【００１２】
従って、両係合部と挾持部との共働により、ネジ軸に強固に取付けながらも簡単な操作で容易に脱着することができるとともに、ネジ軸に対する仮保持機能も向上することができるから、操作性及び作業効率を高めることができる。
【００１３】
本発明の長尺体支持具による第２の特徴構成は、前記第１係合部には、これがネジ軸に所定姿勢で係合されたとき、ネジ軸のネジ部に対して径方向から係合する第２係止部が形成されている点にある。
【００１４】
上記特徴構成によれば、長尺体支持具をネジ軸に取付ける場合、図９に示すように、取付け基部の背面の上半側に形成された第１係合部及び第２係合部の各上下両側面がネジ軸に沿うように支持具全体を横向き姿勢にして、両係合部の間にネジ軸を入り込み位置させ、この状態で支持具全体を回動させると、両係合部がネジ軸に係合される。この状態で、ネジ軸と当接する一方の係合部を支点として取付け基部の背面の下半側に形成された挾持部をネジ軸に押し込むと、挾持部の開口が拡径側に弾性変形されながらネジ軸に外嵌挾持されると同時に、挾持部の内周面に形成された係止部、及び、第１係合部に形成された第２係止部の各々がネジ軸のネジ部に対して径方向から係合するから、ネジ軸に対して支持具を滑り落ち防止状態で確実、強固に取付けながらも回転・押込みといった簡便な一連の操作で取付けることができる。
【００１５】
本発明の長尺体支持具による第３の特徴構成は、前記受止め部、取付け基部、第１係合部、第２係合部、挾持部が合成樹脂で一体成形されている点にある。
【００１６】
上記特徴構成によれば、支持具を構成する受止め部、取付け基部、第１係合部、第２係合部、挾持部の合成樹脂による一体化により、支持具の軽量化と取り扱いの容易化を図ることができる。
【００１７】
本発明の長尺体支持具による第４の特徴構成は、前記第１係合部が、それの先端部分を取付け基部に向かって延出した平面視略しの字状に形成されている点にある。
【００１８】
上記特徴構成によれば、第１係合部がネジ軸に係合した状態では、ネジ軸に対する左右方向での相対移動を規制することができるから、支持具の外れ止め機能及び仮止め機能を高めることができる。
【００１９】
本発明の長尺体支持具による第５の特徴構成は、前記受止め部が、取付け基部の下端に連設された略Ｕ字状の掛止板部から構成されているとともに、Ｕ字状掛止板部に掛け止められた長尺体の抜け落ちを防止するための抜け落ち防止手段が設けられている点にある。  
【００２０】
上記特徴構成によれば、略Ｕ字状の掛止板部に対する長尺体の掛け止め作業を容易に行うことができるとともに、掛け止められた長尺体の抜出しを抜け落ち防止手段によって確実に阻止することができる。
【００２１】
本発明の長尺体支持具による第６の特徴構成は、前記受止め部が、取付け基部の表面側の上下複数箇所に連設された掛止板部から構成されているとともに、各掛止板部に掛け止められた長尺体の抜け落ちを防止するための抜け落ち防止手段が設けられている点にある。
【００２２】
上記特徴構成によれば、取付け基部の表面側に設けられた複数段の掛止板部にケーブル等の長尺体を効率良く掛け止めることができるとともに、掛け止められた長尺体の抜出しを抜け落ち防止手段によって確実に阻止することができる。
【００２３】
本発明の長尺体支持具による第７の特徴構成は、前記抜け落ち防止手段が、長尺体を掛止板部に緊縛可能な紐状体とそれを係止保持する係止部から構成されている点にある。
【００２４】
上記特徴構成によれば、支持具の係止部に係止保持された紐状体により、掛止板部に掛け止められた長尺体の抜け落ちを確実に防止することができるので、揺動開閉自在なカバーを設ける場合に比して抜け落ち防止手段を簡単かつ安価に構成することができる。
【００２５】
本発明の長尺体支持具による第８の特徴構成は、前記抜け落ち防止手段が、掛止板部の先端側における上下の隣接間隔を長尺体の外径よりも小に形成することにより構成されている点にある。
【００２６】
上記特徴構成によれば、各掛止板部に載置された長尺体は、掛止板部の先端部における隣接上下間隔を押し広げない限り抜出すことはなく、揺動開閉自在なカバーを設ける場合に比して抜け落ち防止手段を簡単かつ安価に構成することができる。
【００２７】
本発明の長尺体支持具による第９の特徴構成は、前記抜け落ち防止手段が、各掛止板部の先端側に突出形成された脱落防止用突起から構成されている点にある。
【００２８】
上記特徴構成によれば、各掛止板部の先端部に脱落防止用突起を突出形成するだけでよいから、抜け落ち防止手段の構造の簡素化、製造コストの低廉化を図ることができる。
【発明を実施するための最良の形態】
【００２９】
〔第１実施形態〕
図１〜図１０は、長尺体の一例である空調用配管Ｐを架設する合成樹脂製の支持具を示し、板状の取付け基部２の下端側には、それの表面側に突出する状態で二本の空調用配管Ｐを架設するための受止め部１が略Ｕ字状に一体形成され、取付け基部２の背面上半側の上下二箇所には、躯体等に固定された上下姿勢のネジ軸の一例である吊りボルト３に対して左右方向の一側方から係脱自在な板状の第１係合部４と、吊りボルト３に対して左右方向の他側方から係脱自在な板状の第２係合部５とが、吊りボルト３の外径よりも大なる間隔を置いて水平姿勢で一体的に突出形成されているとともに、取付け基部２の背面の下半側には、吊りボルト３の雄ネジ部に弾性力で挾持保持可能な筒状で、かつ、その周方向の一箇所に吊りボルト３に対する前後方向（径方向）からの脱着を許容する開口６ａが形成されている挾持部６が一体的に突出形成され、この挾持部６の内周面には、吊りボルト３の雄ネジ部に対して径方向から係脱自在で、かつ、係合状態では螺合操作自在な部分雌ネジ状の係止部７が形成されている。
【００３０】
また、前記受止め部１、取付け基部２、第１係合部４、第２係合部５、挾持部６がナイロン等の合成樹脂で一体成形されているとともに、第１係合部４と第２係合部５との上下隣接間には、吊りボルト３が入り込み自在な脱着用凹部８が水平方向に沿って形成され、更に、受止め部１に掛け止められた二本の空調用配管Ｐの抜け落ちを防止するための抜け落ち防止手段Ａが設けられている。
【００３１】
前記受止め部１は、取付け基部２の下端側に一体形成された配管軸芯方向視において略Ｕ字状に湾曲形成された掛止板部１Ａから構成され、このＵ字状掛止板部１Ａの配管載置部分１ａにおける配管軸芯方向での幅が、それの先端側に連続する外側板部分１ｂの幅及び基端側に連続する取付け基部２の幅よりも大に構成されている。
【００３２】
前記第１係合部４は、それの先端部分を取付け基部２に向かって延出した平面視略しの字状の第１係合板片４Ａから構成され、それの先端と取付け基部２の背面との対向面間には、吊りボルト３に対する係脱操作用として左右方向の一側方に開口する第１開口４Ｂが形成されているとともに、第１係合板片４Ａで囲まれた第１開口４Ｂに連通する第１係合孔４Ｃが、平面視において略Ｌ字状に形成されている。
【００３３】
また、第１係合板片４Ａのうち、配管軸芯方向に対して直交する方向で吊りボルト３の軸芯を通る中心線よりも先端側に位置する係合板部分４ｂが、それよりも基端側に位置する係合板部分４ａに対して型抜きのために板厚分だけ上方側に屈曲形成されている。
【００３４】
前記第２係合部５は、それの先端部分を左右方向の他側方に向かって延出した平面視略コの字状の第２係合板片５Ａから構成され、この第２係合板片５Ａには、吊りボルト３に対する係脱操作用として左右方向の他側方に開口する第２開口５Ｂと、これに連通する直線状の第２係合孔５Ｃが形成されている。
【００３５】
前記挾持部６は、取付け基部２の背面に連設された取付け板片６Ａと、これの先端に吊りボルト３の軸芯と同芯状態で連設された拡径側に弾性変形可能な切欠きネジ筒６Ｂとから構成されているとともに、取付け基部２の背面と取付け板片６Ａの左右両側面とに亘って左右一対の三角形状の補強板部６Ｃが一体形成されている。
【００３６】
前記抜け落ち防止手段Ａは、Ｕ字状掛止板部１Ａの外側板部分１ｂの上端に一体形成された筒状の係止部９と、この係止部９に挿通させた係止保持状態において空調用配管ＰをＵ字状掛止板部１Ａに緊縛操作自在な合成樹脂製の周知構造の紐状体１０から構成されている。
【００３７】
また、前記取付け基部２の背面には、挾持部６の取付け板片６Ａに連続する補強リブ２Ａが一体形成されているとともに、挾持部６の切欠きネジ筒６Ｂが吊りボルト３に弾性力で外嵌挾持された状態では、図３に示すように、第１係合板片４Ａの第１係合孔４Ｃに臨む後方側周面部分と、第２係合板片５Ａの第２係合孔５Ｃに臨む前方側周面部分とが近接位置して、吊りボルト３に対する前後方向の移動が規制されている。
【００３８】
更に、図６に示すように、挾持部６の切欠きネジ筒６Ｂが吊りボルト３に弾性力で外嵌挾持された状態では、第１係合板片４Ａの第１係合孔４Ｃに臨む左右両側の周面部分と、第２係合板片５Ａの第２係合孔５Ｃに臨む左右一側の周面部分とが近接位置して、吊りボルト３に対する左右方向の移動が規制されている。
【００３９】
前記第１係合部４の第１開口４Ｂは、第２係合部５の第２開口５Ｂよりも取付け基部２側に偏位した部位に形成されていて、第１係合部４の第１係合孔４Ｃ及び第２係合部５の第２係合孔５Ｃが吊りボルト３に係合された傾斜姿勢では、図１０に示すように、切欠きネジ筒６Ｂの開口６ａが吊りボルト３に対して嵌合操作可能な位置で相対向するように構成されている。
【００４０】
そして、上述の如く構成された長尺体支持具を吊りボルト３に取付ける場合、図９に示すように、取付け基部２の背面の上半側に形成された第１係合部４及び第２係合部５の各上下両側面が吊りボルト３の軸芯方向に沿うように、換言すれば、両係合部４，５の隣接間に形成された脱着用凹部８が上下方向に沿うように、支持具全体を横向き姿勢にして、両係合部４，５の隣接間に形成された脱着用凹部８内に吊りボルト３を入り込み位置させ、この状態で支持具全体を矢印方向に回動操作させると、第１係合部４の第１係合孔４Ｃ及び第２係合部５の第２係合孔５Ｃが吊りボルト３に係合される。
【００４１】
次に、図１０に示すように、吊りボルト３と当接する第２係合部５の第２係合孔５Ｃの周縁を支点として取付け基部２の背面の下半側に形成された半筒状挾持部６の切欠きネジ筒６Ｂを吊りボルト３の雄ネジ部に押し込むと、切欠きネジ筒６Ｂの開口６ａが拡径側に弾性変形されながら吊りボルト３に外嵌挾持されると同時に、切欠きネジ筒６Ｂの内周面に形成された部分雌ネジ状の係止部７が吊りボルト３の雄ネジ部（谷部）に係合するから、吊りボルト３に対して支持具を強固に取付けながらも回転・押込みといった簡便な一連の操作で効率良く取付けることができる。
【００４２】
しかも、図１０に示すように、第２係合部５の第２係合孔５Ｃの周縁における下端側角部が吊りボルト３の雄ネジ部に係合状態で当接し、かつ、半筒状挾持部６の切欠きネジ筒６Ｂにおける開口６ａ側上端縁が吊りボルト３の雄ネジ部に係合状態で当接する仮止め状態では、両係合部４，５の係合板片４Ａ，５Ａによって左右方向の移動が規制され、かつ、吊りボルト３に対する傾斜角度が大きくなるため、吊りボルト３の雄ネジ部に対して第２係合部５の下端側角部及び切欠きネジ筒６Ｂの開口６ａ側上縁が引っ掛かり易くなり、振動等の外力が作用しても、支持具を仮止め位置に保持することができる。
【００４３】
前記吊りボルト３に対する支持具の取付け位置を微調整する場合には、吊りボルト３に対して支持具を回転操作して上下方向に螺進させ、また、吊りボルト３に対する支持具の取付け位置を大きく変更する場合には、半筒状挾持部６の切欠きネジ筒６Ｂを吊りボルト３の雄ネジ部から嵌合離脱させ、かつ、第１係合部４の第１係合孔４Ｃ及び第２係合部５の第２係合孔５Ｃを吊りボルト３に係合させたまま吊りボルト３に沿って上下方向に移動させ、変更取付け位置で半筒状挾持部６の切欠きネジ筒６Ｂを吊りボルト３の雄ネジ部に押込み操作して嵌合挾持させる。
【００４４】
〔第２実施形態〕
図１１〜図１４は、上述の第１実施形態で説明した合成樹脂製の支持具の改良を示し、前記第１係合部４の第１係合板片４Ａのうち、第１係合孔４Ｃに臨む先端側係合板部分４ｂの内側面には、第１係合部４が吊りボルト３に所定姿勢で係合されたとき、換言すれば、吊りボルト３に対して第１係合部４及び第２係合部５が係合操作され、かつ、挾持部６が挾持操作されたとき、吊りボルト３の雄ネジ部に対して径方向から係合する突片状又は部分雄ネジ状の第２係止部１２が、吊りボルト３の雄ネジ部に沿って螺合操作可能な状態で一体形成されている。
【００４５】
そして、長尺体支持具を吊りボルト３に取付ける場合、図９に示すように、取付け基部２の背面の上半側に形成された第１係合部４及び第２係合部５の各上下両側面が吊りボルト３に沿うように支持具全体を横向き姿勢にして、両係合部４，５の間に吊りボルト３を入り込み位置させ、この状態で支持具全体を回動させると、両係合部４，５が吊りボルト３に係合される。この状態で、吊りボルト３と当接する第２係合部５の第２係合孔５Ｃの周縁を支点として取付け基部２の背面の下半側に形成された半筒状挾持部６の切欠きネジ筒６Ｂを吊りボルト３の雄ネジ部に押し込むと、挾持部６の切欠きネジ筒６Ｂの開口６ａが拡径側に弾性変形されながら吊りボルト３に外嵌挾持されると同時に、挾持部６の内周面に形成された係止部７、及び、第１係合部４に形成された第２係止部１２の各々が吊りボルト３の雄ネジ部に対して径方向から係合するから、吊りボルト３に対して支持具を滑り落ち防止状態で確実、強固に取付けながらも回転・押込みといった簡便な一連の操作で取付けることができる。
【００４６】
また、この第２実施形態においては、Ｕ字状受止め部１に架設された空調用配管Ｐの脱落を防止する可撓性の線状部材である合成樹脂製の結束バンド１３を脱着自在に保持するための保持手段Ｂが設けられている。
【００４７】
前記結束バンド１３は、多数の係止溝１３ａを形成してあるバンド部１３Ａの基端側に、ループ状に湾曲操作されたバンド部１３Ａの先端側が挿入可能な貫通孔１３ｂ及び挿通されたバンド部１３Ａの係止溝１３ａに対して選択的に係合する抜止め用の係止片１３ｃを備えた係止筒部１３Ｂとから構成されているとともに、係止筒部１３Ｂのバンド挿通長さがバンド部１３Ａの板厚よりも大に構成されている。
【００４８】
前記保持手段Ｂは、第２係合部５の基端側に、結束バンド１３のバンド部１３Ａを配管軸芯方向の一側方から差し込み自在で、かつ、係止筒部１３Ｂのバンド挿通長さよりも短い溝幅のスリット１５を形成するとともに、このスリット１５と同じ側に位置するＵ字状受止め部１の側面には、スリット１５に係止保持されている結束バンド１３のバンド部１３Ａを受止め部１に沿ってＵ字状に係止保持する複数対の係止ピン１６を一体形成して構成されている。
尚、その他の構成は、第１実施形態で説明した構成と同一であるから、同一の構成箇所には、第１実施形態と同一の番号を付記してそれの説明は省略する。
【００４９】
〔第３実施形態〕
図１５は、長尺体の一例であるケーブルＰを架設する合成樹脂製の支持具を示し、板状の取付け基部２の表面側には、複数本のケーブルＰを架設するための受止め部１が一体的に形成され、取付け基部２の背面上半側の上下二箇所には、躯体等に固定された上下姿勢のネジ軸の一例である吊りボルト３に対して左右方向の一側方から係脱自在な板状の第１係合部４と、吊りボルト３に対して左右方向の他側方から係脱自在な板状の第２係合部５とが、吊りボルト３の外径よりも大なる間隔を置いて水平姿勢で一体的に突出形成されている。
【００５０】
また、前記取付け基部２の背面の下半側には、吊りボルト３に対して前後方向の前方側から脱着自在に弾性的に挾持保持可能な略半筒状の挾持部６が一体的に突出形成され、この挾持部６の内周面には、吊りボルト３の雄ネジ部に対して螺合操作自在に係合する部分雌ネジ状の係止部７が形成されているとともに、前記第１係合部４の第１係合板片４Ａの第１係合孔４Ｃに臨む内側面には、これが吊りボルト３に所定姿勢で係合されたとき、換言すれば、吊りボルト３に対して第１係合部４及び第２係合部５が係合操作され、かつ、挾持部６が挾持操作されたとき、吊りボルト３の雄ネジ部に対して径方向から係合する突片状又は部分雄ネジ状の第２係止部１２が、吊りボルト３の雄ネジ部に沿って螺合操作可能な状態で一体形成されている。
【００５１】
前記受止め部１は、取付け基部２の表面側の上下複数箇所（当該実施形態では４箇所）に連設された掛止板部１Ｂと、最上段の掛止板部１Ｂに掛け止められたケーブルＰの上方への抜出し移動を阻止する規制板部１Ｃから構成されているとともに、各掛止板部１Ｂに掛け止められたケーブルＰの抜け落ちを防止するための抜け落ち防止手段Ａが設けられている。
【００５２】
前記抜け落ち防止手段Ａは、各掛止板部１Ｂの先端に、掛け止められたケーブルＰの先端側への抜け落ち移動を阻止する脱落防止用突起１Ｄを一体形成するとともに、各脱落防止用突起１Ｄの上端とこれに上下方向で相対向する上側掛止板部１Ｂの底面又は規制板部１Ｃの底面との隣接間隔Ｈを、ケーブルＰの外径Ｄよりも小に形成することにより構成されている。
【００５３】
尚、その他の構成は、第１実施形態又は第２実施形態で説明した構成と同一であるから、同一の構成箇所には、第１実施形態と同一の番号を付記してそれの説明は省略する。
【００５４】
〔第４実施形態〕
図１６〜図１８は、上述の第３実施形態で説明した支持具の受止め部１の改良を示し、取付け基部２の表面に、長尺体の一例であるケーブルＰを架設する上下複数段（当該実施形態では３段）の掛止板部１Ｂと、最上段の掛止板部１Ｂに掛け止められたケーブルＰの上方への抜出し移動を阻止する規制板部１Ｃとを、先端側ほど上方に位置する傾斜姿勢で一体形成するとともに、各掛止板部１Ｂに掛け止められたケーブルＰの抜け落ちを防止するための抜け落ち防止手段Ａが設けられている。
【００５５】
前記抜け落ち防止手段Ａは、各掛止板部１Ｂの先端及び規制板部１Ｃの先端に、掛け止められたケーブルＰの先端側への抜け落ち移動を阻止する脱落防止用突起１Ｄを一体形成して構成されている。
尚、その他の構成は、第１〜第３実施形態のいずれかで説明した構成と同一であるから、同一の構成箇所には、第１実施形態と同一の番号を付記してそれの説明は省略する。
【００５６】
〔第５実施形態〕
図１９は、第１実施形態で説明した合成樹脂製の長尺体支持具の別実施形態を示し、板状の取付け基部２の表面側には、二本の空調用配管Ｐを架設するための受止め部１が一体的に形成され、取付け基部２の背面上半側の上下二箇所には、躯体等に固定された上下姿勢のネジ軸の一例である吊りボルト３に対して左右方向の一側方から係脱自在な板状の第１係合部４と、吊りボルト３に対して左右方向の他側方から係脱自在な板状の第２係合部５とが、吊りボルト３の外径よりも大なる間隔を置いて水平姿勢で一体的に突出形成されているとともに、取付け基部２の背面の下半側には、吊りボルト３に対して前後方向の前方側から脱着自在に弾性的に挾持保持可能な略半筒状の挾持部６が一体的に突出形成され、この挾持部６の内周面には、吊りボルト３の雄ネジ部に対して螺合操作自在に係合する部分雌ネジ状の係止部７が形成されている。
【００５７】
前記第１係合部４は、それの先端部分を左右方向の他側方に向かって延出した平面視略コの字状の第１係合板片４Ｄから構成され、この第１係合板片４Ｄには、吊りボルト３に対する係脱操作用として左右方向の他側方に開口する第１開口４Ｅと、これに連通する直線状の第２係合孔４Ｆが形成されている。
【００５８】
前記第２係合部５は、それの先端部分を取付け基部２に向かって延出した平面視略しの字状の第２係合板片５Ｄから構成され、それの先端と取付け基部２の背面との対向面間には、吊りボルト３に対する係脱操作用として左右方向の一側方に開口する第２開口５Ｅが形成されているとともに、第２係合板片５Ｄで囲まれた第２開口５Ｅに連通する第２係合孔５Ｆが、平面視において略Ｌ字状に形成されている。
【００５９】
前記第１係合部４の第１開口４Ｅは、第２係合部５の第２開口５Ｅよりも先端側に偏位した部位に形成されていて、第１係合部４の第１係合孔４Ｆ及び第２係合部５の第２係合孔５Ｆが吊りボルト３に係合された傾斜姿勢では、吊りボルト３が切欠きネジ筒６Ｂの開口６ａよりも取付け基部２側に位置するため、吊りボルト３を切欠きネジ筒６Ｂの開口６ａ側に対向位置させる戻し操作が必要となるものの、吊りボルト３に取付けられた支持具の外れ止め機能を高めることができる。
尚、その他の構成は、第１実施形態で説明した構成と同一であるから、同一の構成箇所には、第１実施形態と同一の番号を付記してそれの説明は省略する。
【００６０】
〔その他の実施形態〕
（１）上述の第１実施形態では、第１係合部４の第１係合板片４Ａを、それの先端部分が取付け基部２に向かって延出された平面視略しの字状に構成し、また、第３実施形態では、第２係合部５の第２係合板片５Ｄを、それの先端部分が取付け基部２に向かって延出された平面視略しの字状に構成したが、この第１係合部４の第１係合板片４Ａ又は第２係合部５の第２係合板片５Ｄを、左右方向一側方に向かって開口する平面視略コの字状に構成してもよい。
【００６１】
要するに、第１係合部４としては、固定された上下姿勢のネジ軸３に対して左右方向の一側方から係脱操作することができ、また、第２係合部５としては、ネジ軸３に対して左右方向の他側方から係脱操作することのできるものであれば、如何なる構造に構成してもよい。
【００６２】
（２）上述の各実施形態では、ネジ軸３として吊りボルトを例に挙げて説明したが、躯体等に上向き姿勢で固着されたボルトであってもよい。
【００６３】
（３）前記抜け落ち防止手段Ａを、受止め部１の開口を開閉自在なカバー体から構成してもよい。
【図面の簡単な説明】
【００６４】
【図１】本願発明の長尺体支持具の第１実施形態を示す取付け前の斜視図
【図２】取付け後の長尺体支持具の側面図
【図３】取付け後の長尺体支持具の断面側面図
【図４】長尺体支持具の側面図
【図５】長尺体支持具の背面図
【図６】長尺体支持具の平面図
【図７】図５のＶＩＩ-ＶＩＩ線断面図
【図８】図４のＶＩＩＩ-ＶＩＩＩ線断面図
【図９】取付け操作を示す斜視図
【図１０】仮保持時の長尺体支持具の断面側面図
【図１１】本願発明の長尺体支持具の第２実施形態を示す斜視図
【図１２】長尺体支持具の側面図
【図１３】図１２のＸＩＩＩ−ＸＩＩＩ線断面図
【図１４】要部の拡大平面図
【図１５】本願発明の長尺体支持具の第３実施形態を示す側面図
【図１６】本願発明の長尺体支持具の第４実施形態を示す側面図
【図１７】図１６のＸＶＩＩ-ＸＶＩＩ線断面図
【図１８】図１６のＸＶＩＩＩ-ＸＶＩＩＩ線断面図
【図１９】本願発明の長尺体支持具の第５実施形態を示す斜視図
【図２０】従来の長尺体支持具を示す断面側面図
【符号の説明】
【００６５】
Ａ        抜け落ち防止手段
Ｄ        外径
Ｈ        隣接間隔
Ｐ        長尺体（空調用配管、ケーブル）
１        受止め部
１Ａ      掛止板部
１Ｂ      掛止板部
１Ｄ      脱落防止用突起
２        取付け基部
３        ネジ軸（吊りボルト）
４        第１係合部
５        第２係合部
６        挾持部
７        係止部
９        係止部
１０      紐状体
１２      第２係止部
【図１】
2005180684.tif 000003
【図２】
2005180684.tif 000004
【図３】
2005180684.tif 000005
【図４】
2005180684.tif 000006
【図５】
2005180684.tif 000007
【図６】
2005180684.tif 000008
【図７】
2005180684.tif 000009
【図８】
2005180684.tif 000010
【図９】
2005180684.tif 000011
【図１０】
2005180684.tif 000012
【図１１】
2005180684.tif 000013
【図１２】
2005180684.tif 000014
【図１３】
2005180684.tif 000015
【図１４】
2005180684.tif 000016
【図１５】
2005180684.tif 000017
【図１６】
2005180684.tif 000018
【図１７】
2005180684.tif 000019
【図１８】
2005180684.tif 000020
【図１９】
2005180684.tif 000021
【図２０】
2005180684.tif 000022